(57)【特許請求の範囲】
【請求項１】
映像音声信号を送信する送信装置であって、
ダミー映像信号を生成するダミー信号生成手段と、
前記ダミー映像信号と前記送信装置に入力された入力音声信号とを多重して映像音声信号を生成し、前記映像音声信号を送信する映像音声送信手段とを備え、
所定解像度の入力映像信号が入力され、
前記ダミー信号生成手段は、前記入力映像信号の所定解像度よりも高解像度のダミー映像信号を生成し、
当該送信装置は、さらに、前記入力音声信号の情報量に基づいて、前記入力映像信号及び前記ダミー映像信号の何れか一方の映像信号を選択し、その選択した映像信号を選択映像信号として出力する選択手段を備え、
前記映像音声送信手段は、前記選択映像信号と前記入力音声信号とを多重して映像音声信号を生成する
ことを特徴とする送信装置。
【請求項２】
前記請求項１記載の送信装置において、
前記選択手段は、前記入力音声信号の情報量が前記所定解像度の入力映像信号に多重できない情報量を持つときに、入力される制御信号によって前記ダミー映像信号を選択する
ことを特徴とする送信装置。
【請求項３】
前記請求項１又は２記載の送信装置において、
前記映像音声送信手段は、前記選択映像信号の垂直帰線期間及び水平帰線期間の少なくとも一方の期間に前記入力音声信号を多重する
ことを特徴とする送信装置。
【請求項４】
前記請求項１〜３の何れか１項に記載の送信装置において、
前記ダミー信号生成手段は、垂直同期信号、水平同期信号及び所定の映像データによって構成されるダミー映像信号を生成する
ことを特徴とする送信装置。
【請求項５】
前記請求項１記載の送信装置において、
前記所定解像度の入力映像信号のフォーマットを検知して、このフォーマット情報と前記入力音声信号の情報量とに基づいて、前記入力音声信号を前記所定解像度の入力映像信号に多重できるか否かを判別する検知信号を出力するフォーマット検知手段をさらに備え、
前記選択手段は、前記フォーマット検知手段から入力される検知信号に基づいて、前記ダミー映像信号及び前記入力映像信号の何れか一方の映像信号を選択する
ことを特徴とする送信装置。
【請求項６】
前記請求項５記載の送信装置において、
前記映像音声送信手段は、前記選択映像信号の垂直帰線期間及び水平帰線期間の少なくとも一方の期間に前記入力音声信号を多重する
ことを特徴とする送信装置。
【請求項７】
前記請求項５又は６記載の送信装置において、
前記ダミー信号生成手段は、垂直同期信号、水平同期信号及び所定の映像データによって構成されるダミー映像信号を生成する
ことを特徴とする送信装置。
【請求項８】
前記請求項２記載の送信装置と、
前記送信装置から送信される映像音声信号を受信する受信装置とを備えた送受信装置において、
前記送信装置は、前記入力映像信号を出力する出力手段と、
前記出力手段から出力された入力映像信号を表示する映像表示手段とをさらに有し、
前記受信装置は、前記送信装置内の映像音声送信手段から送信された映像音声信号を受信し、この受信した映像音声信号を出力映像信号と出力音声信号とに分離する音声受信手段を備える
ことを特徴とする送受信装置。
【請求項９】
前記請求項８記載の送受信装置において、
前記送信装置内の出力手段は、前記入力映像信号をアナログ映像信号に変換して出力する
ことを特徴とする送受信装置。
【請求項１０】
前記請求項８又は９記載の送受信装置において、
前記送信装置内の映像音声送信手段は、前記選択映像信号の垂直帰線期間及び水平帰線期間の少なくとも一方の期間に前記入力音声信号を多重する
ことを特徴とする送受信装置。
【請求項１１】
前記請求項８〜１０の何れか１項に記載の送受信装置において、
前記送信装置内のダミー信号生成手段は、垂直同期信号、水平同期信号及び所定の映像データによって構成されるダミー映像信号を生成する
ことを特徴とする送受信装置。
【請求項１２】
前記請求項５記載の送信装置と、
前記送信装置から送信される映像音声信号を受信する受信装置とを備えた送受信装置において、
前記送信装置は、前記入力映像信号を出力する出力手段と、
前記出力手段から出力された入力映像信号を表示する映像表示手段とをさらに有し、
前記受信装置は、前記送信装置内の映像音声送信手段から送信された映像音声信号を受信し、この受信した映像音声信号を出力映像信号と出力音声信号とに分離する音声受信手段を備える
ことを特徴とする送受信装置。
【請求項１３】
前記請求項１２記載の送受信装置において、
前記送信装置内の出力手段は、前記入力映像信号をアナログ映像信号に変換して出力する
ことを特徴とする送受信装置。
【請求項１４】
前記請求項１２又は１３記載の送受信装置において、
前記送信装置内の映像音声送信手段は、前記選択映像信号の垂直帰線期間及び水平帰線期間の少なくとも一方の期間に前記入力音声信号を多重する
ことを特徴とする送受信装置。
【請求項１５】
前記請求項１２〜１４の何れか１項に記載の送受信装置において、
前記送信装置内のダミー信号生成手段は、垂直同期信号、水平同期信号及び所定の映像データによって構成されるダミー映像信号を生成する
ことを特徴とする送受信装置。
【発明の詳細な説明】
【技術分野】
【０００１】
本発明は、デジタル信号の送信装置及び送受信装置に関し、特に、ＳＴＢ（Ｓｅｔ  Ｔｏｐ  Ｂｏｘ）、ＤＶＤプレーヤー、ＤＶＤレコーダー等の映像信号及び音声信号の伝送に用いられる送信装置及び送受信装置に関するものである。
【背景技術】
【０００２】
デジタル信号の送信装置及び送受信装置では、例えば特許文献１に記載されるように、映像信号の垂直帰線期間や水平帰線期間に音声信号を多重してデジタル信号を伝送している。
【０００３】
従来、映像信号及び音声信号の伝送に用いられる送信装置及び送受信装置として、図１０に示した技術がある。
【０００４】
同図において、送信装置１０１の内部には映像音声送信回路１３が備えられ、さらにその内部にマルチプレクサ１５及び送信回路１６が備えられている。また、受信装置１１３の内部には、受信回路１８、デマルチプレクサ１９、モニタ１１０、アンプ１１１、及びスピーカー１１２が備えられている。前記送信装置１０１及び前記受信装置１１３によって送受信装置が構成されている。
【０００５】
以下に、図１０を用いて、従来の送信装置及び送受信装置の動作について説明する。
【０００６】
まず、ＭＰＥＧ２デコーダー１７において、ＤＶＤディスク等に記録されているＭＰＥＧ２データがデコードされ、生成された入力映像信号ＶＳ＿ＩＮ及び入力音声信号ＡＳ＿ＩＮが送信装置１０１に入力される。前記送信装置１０１内のマルチプレクサ１５において、前記入力映像信号ＶＳ＿ＩＮの垂直帰線期間及び水平帰線期間に前記入力音声信号ＡＳ＿ＩＮを多重し、パラレルの映像音声信号ＶＡＳを生成する。その後、送信回路１６において、前記パラレルの映像音声信号ＶＡＳをパラレル・シリアル変換して、シリアルの映像音声信号ＶＡＳを受信装置１１３に送信する。ここで、前記送信回路１６において暗号化処理を行う場合もある。
【０００７】
前記受信装置１１３では、受信回路１８において、受信したシリアルの映像音声信号ＶＡＳをシリアル・パラレル変換し、パラレルの映像音声信号ＶＡＳをデマルチプレクサ１９に供給する。前記デマルチプレクサ１９では、前記パラレルの映像音声信号ＶＡＳから出力映像信号ＶＳ＿ＯＵＴ及び出力音声信号ＡＳ＿ＯＵＴを分離し、前記出力映像信号ＶＳ＿ＯＵＴをデジタルテレビ１１０に出力すると共に，前記出力音声信号ＡＳ＿ＯＵＴをアンプ１１１を介してスピーカー１１２に出力する。
【０００８】
前記ＭＰＥＧ２デコーダー１７及び前記送信装置１０１によって，例えばＤＶＤプレーヤーやＤＶＤレコーダーが構成され、前記受信装置１１３によって、例えばデジタルテレビが構成される。上記の送信装置１０１及び受信装置１１３によって構成される送受信装置を用いることで、ＤＶＤディスクに記録されている映像と音声とをデジタルテレビで視聴することが可能となる。
【０００９】
前記ＭＰＥＧ２デコーダー１７から入力される入力映像信号ＶＳ＿ＩＮは、例えば、水平７２０画素×垂直４８０ラインの４８０ｐフォーマットと呼ばれる信号フォーマットによって記録されている。
【００１０】
図２は、４８０ｐフォーマットの映像信号を示した模式図である。
【００１１】
同図において、水平７２０画素×垂直４８０ラインの有効期間（映像データ）に対して、その水平方向に１３８画素分の水平帰線期間が加算されていると共に、垂直方向に４５ライン分の垂直帰線期間が加算されており、４８０ｐフォーマットの映像信号は、前記水平帰線期間及び前記垂直帰線期間を合わせて、水平８５８画素×垂直５２５ラインの信号によって構成されている。前記水平帰線期間には水平同期信号ＨＳＹＮＣ、前記垂直帰線期間には垂直同期信号ＶＳＹＮＣが付加されており、前記２つの同期信号によって走査の位置とタイミングを決定している。
【００１２】
上記の図２の４８０ｐフォーマットの映像信号に音声信号を多重する技術として、図３に示すように、パケット形式で音声信号を多重する技術があり、例えば特許文献１において用いられている。
【００１３】
以下に、図２及び図３を用いて、図１０の従来の送信装置及び送受信装置における入力映像信号ＶＳ＿ＩＮへの入力音声信号ＡＳ＿ＩＮの多重について説明する。
【００１４】
同図では、３２画素×８ビット＝２５６ビットのパケット１及びパケット２の入力音声信号を入力映像信号のビデオチャンネル（ＣＨ０、ＣＨ１、ＣＨ２）の１水平周期に多重している。例えば、ステレオ２チャンネルの入力音声信号は、Ｌチャンネルの３２ビット及びＲチャンネルの３２ビットの合計６４ビットから構成されるので、図３のパケット１のみで２５６ビット／６４ビット＝４サンプル分のステレオ２チャンネルの入力音声信号を入力映像信号に多重して伝送することが可能である。
【００１５】
図２の４８０ｐフォーマットの映像信号は、水平帰線期間の長さが１３８画素であるので、入力音声信号を多重する場合、入力映像信号と入力音声信号とを区別するための８画素のプリアンブル、２画素のガードバンド及び、最小で４画素のコントロールを除くと、最大で１０８画素分をパケットとして使用できるので、最大で３個のパケットを１チャンネルで伝送可能である。すなわち、３２画素×８ビット×３パケット＝７６８ビットの入力音声信号を１チャンネルに多重して伝送することが可能であり、１水平周期では最大で１２サンプルのステレオ２チャンネルの入力音声信号を伝送可能である。ここで、図２の４８０ｐフォーマットの１水平周期は３１．４６９ｋＨｚであるので、サンプルレート３１．４６９ｋＨｚ×１２サンプル＝３７７．６２８ｋＨｚの入力音声信号までを入力映像信号に多重して伝送可能である。
【００１６】
また、近年では、ＣＤやＤＶＤに記録された映像信号の不正コピー防止のために暗号化を施す場合があり、例えば特許文献２には、映像信号を暗号化する際に、その水平同期信号や垂直同期信号ごとに暗号鍵を更新することで耐タンパ性を向上させる技術が記載されている。
【特許文献１】特表２００５−５１４８４９号公報
【特許文献２】特開２００４−１９４１４４号公報
【発明の開示】
【発明が解決しようとする課題】
【００１７】
しかしながら、前記特許文献１記載の技術を用いた送信装置及び送受信装置では、サンプルレート１９２ｋＨｚのステレオ２チャンネルの音声信号を多重する場合には、映像信号は十分な帯域を有しているが、これ以上の高サンプルレートの音声信号や多チャンネルの音声信号では、帯域不足が生じて映像信号に音声信号を多重して伝送することが困難であった。また、映像信号に音声信号を多重することが前提であるので、ＣＤのように音声信号しか存在しない場合には多重することが困難であった。
【００１８】
さらに、前記特許文献２記載の技術は、水平同期信号等のない音声信号のみの場合には適用することができないので、耐タンパ性を向上させることができないという欠点もあった。
【００１９】
本発明は、前記の課題に着目してなされたものであり、その目的は、映像信号のフォーマットやその映像信号の有無に関わらず、高サンプルレートの音声信号や多チャンネルの音声信号を映像信号に多重して伝送できる送信装置及び送受信装置を提供することにある。
【課題を解決するための手段】
【００２０】
前記の目的を達成するために、本発明では、送信装置及び送受信装置において、ダミー映像信号を生成し、このダミー映像信号に入力音声信号を多重する。
【００２１】
具体的に、本発明の送信装置は、映像音声信号を送信する送信装置であって、ダミー映像信号を生成するダミー信号生成手段と、前記ダミー映像信号と前記送信装置に入力された入力音声信号とを多重して映像音声信号を生成し、前記映像音声信号を送信する映像音声送信手段とを備えたことを特徴とする。
【００２２】
本発明は、前記送信装置において、所定解像度の入力映像信号が入力され、前記ダミー信号生成手段は、前記入力映像信号の所定解像度よりも高解像度のダミー映像信号を生成し、さらに、前記入力音声信号の情報量に基づいて、前記入力映像信号及び前記ダミー映像信号の何れか一方の映像信号を選択し、その選択した映像信号を選択映像信号として出力する選択手段を備え、前記映像音声送信手段は、前記選択映像信号と前記入力音声信号とを多重して映像音声信号を生成することを特徴とする。
【００２３】
本発明は、前記送信装置において、前記選択手段は、前記入力音声信号の情報量が前記所定解像度の入力映像信号に多重できない情報量を持つときに、入力される制御信号によって前記ダミー映像信号を選択することを特徴とする。
【００２４】
本発明は、前記送信装置において、前記映像音声送信手段は、前記選択映像信号の垂直帰線期間及び水平帰線期間の少なくとも一方の期間に前記入力音声信号を多重することを特徴とする。
【００２５】
本発明は、前記送信装置において、前記ダミー信号生成手段は、垂直同期信号、水平同期信号及び所定の映像データによって構成されるダミー映像信号を生成することを特徴とする。
【００２６】
本発明は、前記送信装置において、前記所定解像度の入力映像信号のフォーマットを検知して、このフォーマット情報と前記入力音声信号の情報量とに基づいて、前記入力音声信号を前記所定解像度の入力映像信号に多重できるか否かを判別する検知信号を出力するフォーマット検知手段をさらに備え、前記選択手段は、前記フォーマット検知手段から入力される検知信号に基づいて、前記ダミー映像信号及び前記入力映像信号の何れか一方の映像信号を選択することを特徴とする。
【００２７】
本発明は、前記送信装置において、前記映像音声送信手段は、前記選択映像信号の垂直帰線期間及び水平帰線期間の少なくとも一方の期間に前記入力音声信号を多重することを特徴とする。
【００２８】
本発明は、前記送信装置において、前記ダミー信号生成手段は、垂直同期信号、水平同期信号及び所定の映像データによって構成されるダミー映像信号を生成することを特徴とする。
【００２９】
本発明の送受信装置は、前記送信装置と、前記送信装置から送信される映像音声信号を受信する受信装置とを備えた送受信装置において、前記送信装置は、前記入力映像信号を出力する出力手段と、前記出力手段から出力された入力映像信号を表示する映像表示手段とをさらに有し、前記受信装置は、前記送信装置内の映像音声送信手段から送信された映像音声信号を受信し、この受信した映像音声信号を出力映像信号と出力音声信号とに分離する音声受信手段を備えることを特徴とする。
【００３０】
本発明は、前記送受信装置において、前記送信装置内の出力手段は、前記入力映像信号をアナログ映像信号に変換して出力することを特徴とする。
【００３１】
本発明は、前記送受信装置において、前記送信装置内の映像音声送信手段は、前記選択映像信号の垂直帰線期間及び水平帰線期間の少なくとも一方の期間に前記入力音声信号を多重することを特徴とする。
【００３２】
本発明は、前記送受信装置において、前記送信装置内のダミー信号生成手段は、垂直同期信号、水平同期信号及び所定の映像データによって構成されるダミー映像信号を生成することを特徴とする。
【００３３】
本発明の送受信装置は、前記送信装置と、前記送信装置から送信される映像音声信号を受信する受信装置とを備えた送受信装置において、前記送信装置は、前記入力映像信号を出力する出力手段と、前記出力手段から出力された入力映像信号を表示する映像表示手段とをさらに有し、前記受信装置は、前記送信装置内の映像音声送信手段から送信された映像音声信号を受信し、この受信した映像音声信号を出力映像信号と出力音声信号とに分離する音声受信手段を備えることを特徴とする。
【００３４】
本発明は、前記送受信装置において、前記送信装置内の出力手段は、前記入力映像信号をアナログ映像信号に変換して出力することを特徴とする。
【００３５】
本発明は、前記送受信装置において、前記送信装置内の映像音声送信手段は、前記選択映像信号の垂直帰線期間及び水平帰線期間の少なくとも一方の期間に前記入力音声信号を多重することを特徴とする。
【００３６】
本発明は、前記送受信装置において、前記送信装置内のダミー信号生成手段は、垂直同期信号、水平同期信号及び所定の映像データによって構成されるダミー映像信号を生成することを特徴とする。
【００３７】
以上により、本発明では、ダミー信号生成手段において生成したダミー映像信号に入力音声信号が多重されるので、前記ダミー映像信号の解像度を高めれば、入力音声信号が高サンプルレート又は多チャンネルの音声信号であっても、この音声信号を前記高解像度のダミー映像信号に多重できて、この多重した映像音声信号を伝送可能である。
【００３８】
また、ＣＤ再生のように音声信号のみが存在して映像信号が存在しない場合であっても、その音声信号をダミー映像信号に多重できるので、音声信号の多重伝送が可能となる。
【００３９】
しかも、音声信号のみが存在する場合に、ダミー映像信号にその音声信号を多重した映像音声信号の水平同期信号や垂直同期信号ごとに暗号鍵を更新すれば、耐タンパ性が向上する。
【発明の効果】
【００４０】
以上説明したように、本発明によれば、ダミー映像信号、特に高解像度のダミー映像信号を生成し、このダミー映像信号に入力音声信号を多重したので、音声信号のサンプルレート等に関わらず、その音声信号を映像信号に多重した映像音声信号の伝送が可能であると共に、耐タンパ性の向上を図ることができる。
【発明を実施するための最良の形態】
【００４１】
以下、本発明の実施形態の送信装置及び送受信装置を図面に基づいて説明する。
【００４２】
（第１の実施形態）
図１は、本発明の第１の実施形態の送信装置の全体構成のブロック図を示す。
【００４３】
同図において、送信装置１４の内部には、ダミー信号生成回路（ダミー信号生成手段）１１、選択回路（選択手段）１２、及び映像音声送信回路（映像音声送信手段）１３が備えられ、前記映像音声送信回路１３の内部には、マルチプレクサ１５及び送信回路１６が備えられている。
【００４４】
また、１１３は受信装置であり、その内部には、受信回路１８、デマルチプレクサ１９、モニタ１１０、アンプ１１１、及びスピーカー１１２が備えられている。
【００４５】
上記の従来の送信装置及び送受信装置（図１０）と同じ符号の構成要素については、その動作は同様であるので説明は省略する。
【００４６】
以下に、図１に基づいて、第１の実施形態の送信装置の動作について説明する。
【００４７】
ＭＰＥＧ２デコーダー１７においてデコードされた入力映像信号ＶＳ＿ＩＮ及び入力音声信号ＡＳ＿ＩＮが送信装置１４に入力されると、前記入力映像信号ＶＳ＿ＩＮを選択回路１２に供給する。ここで、前記入力映像信号ＶＳ＿ＩＮは、図２の４８０ｐフォーマットの映像信号である。また、ダミー信号生成回路１１において生成したダミー映像信号ＶＳ＿Ｄを前記選択回路１２に入力する。前記ダミー映像信号ＶＳ＿Ｄは、前記入力映像信号ＶＳ＿ＩＮよりも高解像度の７２０ｐフォーマットの映像信号である。
【００４８】
図４に、７２０ｐフォーマットの映像信号の模式図を示す。
【００４９】
同図において、７２０ｐフォーマットの映像信号は，水平１２８０画素×垂直７２０ラインの有効期間（映像データ）に対して、水平方向に３７０画素分の水平帰線期間、及び垂直方向に３０ライン分の垂直帰線期間が加算されており、７２０ｐフォーマットの映像信号は前記水平帰線期間及び前記垂直帰線期間を合わせて、水平１６５０画素×垂直７５０ラインの信号によって構成されている。図２の４８０ｐフォーマットの映像信号と同様に、前記水平帰線期間には水平同期信号ＨＳＹＮＣ、前記垂直帰線期間には垂直同期信号ＶＳＹＮＣが付加されており、前記２つの同期信号によって走査の位置とタイミングを決定している。
【００５０】
図３と同様にパケット形式で７２０ｐフォーマットの映像信号の水平帰線期間や垂直帰線期間に音声信号を多重した場合、図４の７２０ｐフォーマットの映像信号の水平帰線期間の長さが３７０画素であるので、最大で１０個のパケットを１水平周期で伝送可能である。１チャンネルあたり３２ビットの音声信号を８チャンネル伝送する場合には、１つのパケットで１サンプルを多重できるので、最大で１０サンプルの８チャンネルの音声信号を１水平周期に多重して伝送することができる。ここで、図４の７２０ｐフォーマットの映像信号の１水平周期は４４．９５５ｋＨｚであるので、サンプルレート４４．９５５ｋＨｚ×１０サンプル＝４４９．５５ｋＨｚまでの音声信号を映像信号に多重して伝送可能であり、サンプルレート１９２ｋＨｚの８チャンネルの音声信号を多重する帯域を十分に有している。
【００５１】
図１の選択回路１２は、前記入力音声信号ＡＳ＿ＩＮの情報量及び前記入力映像信号ＶＳ＿ＩＮの帯域に基づいて入力される制御信号ＣＳによって、前記ダミー映像信号ＶＳ＿Ｄ及び前記入力映像信号ＶＳ＿ＩＮの何れか一方の映像信号を選択し、選択された映像信号を選択映像信号ＶＳとして出力する。
【００５２】
例えば、前記入力映像信号ＶＳ＿ＩＮが４８０ｐフォーマットの映像信号、前記ダミー映像信号ＶＳ＿Ｄが７２０ｐフォーマットの映像信号の場合に、前記入力音声信号ＡＳ＿ＩＮがサンプルレート１９２ｋＨｚのステレオ２チャンネルの音声信号であったときには、前記入力映像信号ＶＳ＿ＩＮにサンプルレート１９２ｋＨｚのステレオ２チャンネルの音声信号を多重することができるので、前記入力映像信号ＶＳ＿ＩＮを選択映像信号ＶＳとして出力する。また、前記入力音声信号ＡＳ＿ＩＮがサンプルレート１９２ｋＨｚの８チャンネルの音声信号であったときには、前記入力映像信号ＶＳ＿ＩＮにサンプルレート１９２ｋＨｚの８チャンネルの音声信号を多重できないので、前記ダミー映像信号ＶＳ＿Ｄを選択映像信号ＶＳとして出力する。
【００５３】
その後、映像音声送信回路１３内のマルチプレクサ１５において、前記選択映像信号ＶＳと前記入力音声信号ＡＳ＿ＩＮとを多重化して、映像音声信号ＶＡＳを生成する。生成された前記映像音声信号ＶＡＳは、前記映像音声送信回路１３内の送信回路１６によって受信装置１１３に送信される。
【００５４】
図５は、ダミー信号生成回路１１の全体構成のブロック図を示す。
【００５５】
同図において、Ｈカウンタ５１は水平同期信号ＨＳＹＮＣ、Ｖカウンタ５２は垂直同期信号ＶＳＹＮＣを生成する。前記２つの同期信号は、各々、１ビットの信号である。
【００５６】
また、Ｙ信号生成回路５３は輝度信号Ｙ、Ｃｂ信号生成回路５４は色差信号Ｃｂ、Ｃｒ信号生成回路５５は色差信号Ｃｒを生成し、前記３つの信号Ｙ、Ｃｂ、Ｃｒによって映像データが表される。ここで、前記３つの信号Ｙ、Ｃｂ、Ｃｒは、各々、８ビットの信号であり、例えば、「Ｙ＝１６（０００１００００）」、「Ｃｂ＝１２８（１０００００００）」、「Ｃｒ＝１２８（１０００００００）」の固定値に設定して出力する。
【００５７】
図６は、Ｈカウンタ５１及びＶカウンタ５２における水平同期信号ＨＳＹＮＣ及び垂直同期信号ＶＳＹＮＣの生成動作を示した動作図である。
【００５８】
以下に、７２０ｐフォーマット（水平画素数１６５０×垂直ライン数７５０ライン）の映像信号における同期信号ＨＳＹＮＣ、ＶＳＹＮＣの生成動作を説明する。
【００５９】
まず、リセット信号の入力によって、Ｈカウンタ５１及びＶカウンタ５２は初期化され、前記２つのカウンタ５１、５２は同時に動作を開始する。その後、Ｈカウンタ５１では、「０カウント」から「１６４９カウント（＝１６５０−１）」までを繰り返しカウントする。ここで、「０カウント」から「３９カウント」までは「０」の水平同期信号ＨＳＹＮＣを出力し、その他のカウントでは「１」の水平同期信号ＨＳＹＮＣを出力する。また、Ｖカウンタ５２では、「０カウント」から「１２３７４９９カウント（＝１６５０×７５０−１）」まで繰り返しカウントする。ここで、「０カウント」から「８２４９カウント（＝１６５０×４−１）」までは「０」の垂直同期信号ＶＳＹＮＣを出力し、その他のカウントでは「１」の垂直同期信号ＶＳＹＮＣを出力する。
【００６０】
上記の図５に示したダミー信号生成回路１１において生成した７２０ｐフォーマットのダミー映像信号ＶＳ＿Ｄをモニタ１１０で見ると、７２０ｐフォーマットの画面が一面黒色であり、選択回路１２において、このダミー映像信号ＶＳ＿Ｄ及び入力映像信号ＶＳ＿ＩＮの何れか一方の映像信号を選択映像信号ＶＳとして出力し、マルチプレクサ１５において、前記選択映像信号ＶＳと入力音声信号ＡＳ＿ＩＮとを多重して映像音声信号ＶＡＳを生成する。
【００６１】
従って、本実施形態では、送信装置１４に入力された入力映像信号ＶＳ＿ＩＮの帯域不足によって、入力音声信号ＡＳ＿ＩＮを前記入力映像信号ＶＳ＿ＩＮに多重できない場合には、制御信号ＣＳによって、選択回路１２は前記入力映像信号ＶＳ＿ＩＮよりも高解像度のダミー映像信号ＶＳ＿Ｄを選択し、前記ダミー映像信号ＶＳ＿Ｄに前記入力音声信号ＡＳ＿ＩＮを多重して伝送するので、従来よりも高サンプルレートの音声信号や多チャンネルの音声信号を多重して伝送することが可能である。
【００６２】
また、ＣＤ再生のように入力音声信号ＡＳ＿ＩＮのみが存在して入力映像信号ＶＳ＿ＩＮが存在しない場合であっても、選択回路１２において常にダミー映像信号ＶＳ＿Ｄを選択して、前記ダミー映像信号ＶＳ＿Ｄを選択映像信号ＶＳとして出力することによって、前記入力音声信号ＡＳ＿ＩＮを多重して伝送することが可能である。
【００６３】
しかも、入力音声信号ＡＳ＿ＩＮのみが存在する場合に、ダミー映像信号ＶＳ＿Ｄに前記入力音声信号ＡＳ＿ＩＮを多重した映像音声信号ＶＡＳの水平同期信号や垂直同期信号ごとに暗号鍵を更新することで、耐タンパ性を向上させることができる。
【００６４】
（第２の実施形態）
図７は、本発明の第２の実施形態の送信装置の全体構成のブロック図を示す。
【００６５】
同図に示した送信装置７２が第１の実施形態の送信装置（図１）と異なる点は、送信装置７２の内部にフォーマット検知回路（フォーマット検知手段）７１が配置され、選択回路１２は、前記フォーマット検知回路７１において生成される検知信号ＤＳによって、入力映像信号ＶＳ＿ＩＮ及びダミー映像信号ＶＳ＿Ｄの何れか一方の映像信号を選択するのみである。その他の構成は第１の実施形態（図１）と同様であるので、その説明は省略する。
【００６６】
本実施形態では、前記フォーマット検知回路７１において入力映像信号ＶＳ＿ＩＮのフォーマットを検知する。フォーマットを検知する方法として、例えば、前記入力映像信号ＶＳ＿ＩＮの水平周期及び垂直周期をカウンタによって計測する方法がある。カウンタによって、水平周期が８５８画素、垂直周期が５２５ラインと計測された場合には、前記入力映像信号ＶＳ＿ＩＮのフォーマットは４８０ｐフォーマットであると判断できる。
【００６７】
また、前記フォーマット検知回路７１では、送信装置７２に入力された入力音声信号ＡＳ＿ＩＮの情報量と前記入力映像信号ＶＳ＿ＩＮのフォーマット情報とに基づいて、前記入力音声信号ＡＳ＿ＩＮを前記入力映像信号ＶＳ＿ＩＮに多重できるか否かの判断を行い、その結果を検知信号ＤＳとして選択回路１２に出力する。
【００６８】
前記選択回路１２では、前記検知信号ＤＳに基づいて、前記入力映像信号ＶＳ＿ＩＮに入力音声信号ＡＳ＿ＩＮを多重できる場合には、前記入力映像信号ＶＳ＿ＩＮを選択映像信号ＶＳとして出力する。多重できない場合には、ダミー信号生成回路１１において生成したダミー映像信号ＶＳ＿Ｄを選択映像信号ＶＳとして出力する。
【００６９】
従って、本実施形態では、選択回路１２において選択映像信号ＶＳを出力する際に、入力映像信号ＶＳ＿ＩＮ及びダミー映像信号ＶＳ＿Ｄの何れか一方の映像信号が、検知信号ＤＳに基づいて自動的に選択されるので、前記選択回路１２を制御することが不要である。
【００７０】
また、ＣＤ再生のように入力音声信号ＡＳ＿ＩＮのみが存在する場合であっても、フォーマット検知回路７１におけるフォーマットの検知が適切に行われて検知信号ＤＳが出力されることにより、入力音声信号ＡＳ＿ＩＮの多重伝送が可能である。
【００７１】
（第３の実施形態）
図８は、本発明の第３の実施形態の送受信装置の全体構成のブロック図を示す。
【００７２】
本実施形態の送受信装置は、送信装置８２及び受信装置８４によって構成される送受信装置である。
【００７３】
同図に示した送信装置８２が第１の実施形態の送信装置（図１）と異なる点は、送信装置８２の内部にＤＡＣ（出力手段）８１が配置され、前記ＤＡＣ８１からアナログテレビ（映像表示手段）８３に映像信号を出力するのみである。送信装置８２のその他の構成は図１と同様であるので、その説明は省略する。
【００７４】
また、受信装置８４の内部には、音声受信回路（音声受信手段）８５、アンプ１１１、及びスピーカ１１２が備えられ、さらに前記音声受信回路８５の内部には、受信回路１８及びデマルチプレクサ１９が備えられている。
【００７５】
本実施形態では、送信装置８２に入力された入力映像信号ＶＳ＿ＩＮは、選択回路１２に供給されると共に、ＤＡＣ８１にも供給される。前記ＤＡＣ８１に供給された入力映像信号ＶＳ＿ＩＮはデジタル・アナログ変換され、変換されたアナログ映像信号Ａ＿ＶＳがアナログテレビ８３に出力され、映像信号の映像が表示される。
【００７６】
また、受信装置８４は前記送信装置８２から送信された映像音声信号ＶＡＳを受信し、音声受信回路８５内の受信回路１８に前記映像音声信号ＶＡＳが入力される。その後、前記映像音声信号ＶＡＳはデマルチプレクサ１９に入力され、出力映像信号ＶＳ＿ＯＵＴと出力音声信号ＡＳ＿ＯＵＴとに分離される。前記出力音声信号ＡＳ＿ＯＵＴは、アンプ１１１を介してスピーカ１１２に出力される。
【００７７】
ここで、前記受信装置８４、例えばＡＶアンプには、映像音声信号ＶＡＳが入力されるので、前記映像音声信号ＶＡＳを分離した出力映像信号ＶＳ＿ＯＵＴの出力が可能であるが、高解像度の映像信号やデジタルの映像信号をアナログテレビに表示することはできないので、前記送信装置８２に入力された入力映像信号ＶＳ＿ＩＮを出力手段であるＤＡＣ８１によってデジタル・アナログ変換し、生成されたアナログ映像信号Ａ＿ＶＳをアナログテレビ８３に出力することで、映像を表示することが可能となる。
【００７８】
従って、本実施形態では、高サンプルレートや多チャンネルの音声信号を多重伝送して、受信装置８４内のスピーカ１１２から出力させることが可能であると共に、デジタル信号の入力映像信号ＶＳ＿ＩＮをアナログ映像信号Ａ＿ＶＳに変換することで、映像信号をデジタルテレビよりも安価なアナログテレビ８３に表示させることが可能となる。
【００７９】
以下に、本発明の他の実施形態の送受信装置について説明する。
【００８０】
図９は、本発明の他の実施形態の送受信装置の全体構成のブロック図を示す。
【００８１】
本実施形態の送受信装置は、送信装置９１及び受信装置８４によって構成される送受信装置である。
【００８２】
同図に示した送信装置９１が第２の実施形態の送信装置（図７）と異なる点は、送信装置９１の内部にＤＡＣ（出力手段）８１が配置され、前記ＤＡＣ８１からアナログテレビ（映像表示手段）８３に映像信号を出力するのみである。送信装置９１のその他の構成は図７と同様であるので、その説明は省略する。
【００８３】
また、ＤＡＣ８１、アナログテレビ８３、及び受信装置８４の動作は第３の実施形態（図８）と同様であるので、その説明も省略する。
【００８４】
本実施形態では、入力映像信号ＶＳ＿ＩＮをアナログテレビ８３に表示させることが可能であると共に、ダミー映像信号ＶＳ＿Ｄ及び前記入力映像信号ＶＳ＿ＩＮの何れか一方の映像信号を自動的に選択して、入力音声信号ＡＳ＿ＩＮを多重伝送することが可能となる。
【００８５】
尚、以上の説明では、ダミー信号生成回路１１では単色の映像のダミー映像信号ＶＳ＿Ｄを生成したが、送信装置１４、７２、８２、９１に入力された入力映像信号ＶＳ＿ＩＮの解像度よりも高解像度であれば任意の映像であっても良いのは勿論である。
【００８６】
また、ＭＰＥＧ２デコーダー１７から入力映像信号ＶＳ＿ＩＮ及び入力音声信号ＡＳ＿ＩＮを送信装置１４、７２、８２、９１に入力する構成を説明したが、本発明では、ＣＤ等からの音声信号のみを入力する場合も同様に適用できる。この場合には、選択回路１２は不要となる。
【産業上の利用可能性】
【００８７】
以上説明したように、本発明は、高解像度のダミー映像信号に入力音声信号を多重したので、音声信号のサンプルレート等に関わらず、その音声信号を映像信号に多重した映像音声信号の伝送が可能であると共に、耐タンパ性の向上を図ることができるので、ＤＶＤプレーヤーやＤＶＤレコーダーの送信装置及び送受信装置等として有用である。
【図面の簡単な説明】
【００８８】
【図１】本発明の第１の実施形態の送信装置における全体構成を示すブロック図である。
【図２】４８０ｐフォーマットの映像信号を示す模式図である。
【図３】映像信号にパケット形式で音声信号を多重する技術の模式図である。
【図４】７２０ｐフォーマットの映像信号を示す模式図である。
【図５】本発明の実施形態の送信装置におけるダミー信号生成回路の全体構成を示すブロック図である。
【図６】同ダミー信号生成回路の動作を示す動作図である。
【図７】本発明の第２の実施形態の送信装置における全体構成を示すブロック図である。
【図８】本発明の第３の実施形態の送受信装置における全体構成を示すブロック図である。
【図９】本発明の他の実施形態の送受信装置における全体構成を示すブロック図である。
【図１０】従来の送信装置及び送受信装置の全体構成を示すブロック図である。
【符号の説明】
【００８９】
１１                      ダミー信号生成回路（ダミー信号生成手段）
１２                      選択回路（選択手段）
１３                      映像音声送信回路（映像音声送信手段）
１４、７２、８２、９１    送信装置
７１                      フォーマット検知回路（フォーマット検知手段）
８１                      ＤＡＣ（出力手段）
８３                      アナログテレビ（映像表示手段）
８４、１１３              受信装置
８５                      音声受信回路（音声受信手段）
Ａ＿ＶＳ                  アナログ映像信号
ＡＳ＿ＩＮ                入力音声信号
ＡＳ＿ＯＵＴ              出力音声信号
ＣＳ                      制御信号
ＤＳ                      検知信号
ＶＡＳ                    映像音声信号
ＶＳ                      選択映像信号
ＶＳ＿Ｄ                  ダミー映像信号
ＶＳ＿ＩＮ                入力映像信号
ＶＳ＿ＯＵＴ              出力映像信号
ＨＳＹＮＣ                水平同期信号
ＶＳＹＮＣ                垂直同期信号
【図１】
0004794621.tif 000002
【図２】
0004794621.tif 000003
【図３】
0004794621.tif 000004
【図４】
0004794621.tif 000005
【図５】
0004794621.tif 000006
【図６】
0004794621.tif 000007
【図７】
0004794621.tif 000008
【図８】
0004794621.tif 000009
【図９】
0004794621.tif 000010
【図１０】
0004794621.tif 000011